(57)【要約】【課題】利用者Ａがインターネットのような広域のネットワークから得た広告情報を電子メールを利用して他の利用者Ｂへ伝えた際に利用者Ａに一定の特典を与えることにより利用者によって宣伝広告を促進すること。【解決手段】広告宣伝サーバ３０は利用者毎に利用者を識別するためのＩＤと利用者に与えられた特典の値とを保持するＩＤ記憶部３４を有し、利用者Ａ端末１０から広告情報の取得要求を受けるとＩＤ記憶部３４から利用者ＡのＩＤを取得するか生成して、利用者ＡのＩＤをＵＲＬに組み込んで広告情報とともに返送する。利用者ＡはＩＤ付きのＵＲＬを電子メールで広告を利用者Ｂ端末へ紹介する。広告宣伝サーバ３０は利用者Ｂ端末２０から利用者ＡのＩＤを組み込んだＵＲＬにて広告情報の取得要求を受けると利用者Ａに特典を付与しＩＤ記憶部３４の特典に加算する。【選択図】　　　図１
2004110506.tif 000002
【特許請求の範囲】
【請求項１】
利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者Ａ端末から広告情報の取得要求を受けると利用者Ａを識別するためのＩＤを広告情報に付加して返送し、利用者Ｂ端末から利用者ＡのＩＤを伴う広告情報の取得要求を受けると利用者Ａに対して特典を付与することを特徴とする広告宣伝システム。
【請求項２】
利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者Ａ端末から広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送し、利用者Ｂ端末から利用者ＡのＩＤを組み込んだＵＲＬにて広告情報の取得要求を受けるとＵＲＬのＩＤを判別して利用者Ａを特定し利用者Ａに特典を付与することを特徴とする広告宣伝システム。
【請求項３】
利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者毎に利用者を識別するためのＩＤと利用者に与えられた特典の値とを保持するＩＤ記憶部を有し、利用者Ａ端末から広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送し、利用者Ｂ端末から利用者ＡのＩＤを伴う広告情報の取得要求を受けると利用者Ａに対して特典を付与しＩＤ記憶部の特典値に加算することを特徴とする広告宣伝システム。
【請求項４】
利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者毎に利用者を識別するためのＩＤと利用者に与えられた特典の値とを保持するＩＤ記憶部を有し、利用者Ａ端末から広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送し、利用者Ｂ端末から利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算することを特徴とする広告宣伝システム。
【請求項５】
前記利用者ＡのＩＤは利用者Ａから利用者Ｂへの広告情報の紹介の電子メールに組み込まれて前記利用者Ａ端末から前記利用者Ｂ端末へ伝達されることを特徴とする請求項１、２、３、又は４の広告宣伝システム。
【請求項６】
利用者Ａが使用する利用者Ａ端末からネットワークを介して広告情報の取得要求を受けると利用者Ａを識別するためのＩＤを広告情報に付加して返送し、利用者Ｂが使用する利用者Ｂ端末からネットワークを介して利用者ＡのＩＤを伴う広告情報の取得要求を受けると利用者Ａに対して特典を付与することを特徴とする広告宣伝サーバ。
【請求項７】
利用者Ａが使用する利用者Ａ端末からネットワークを介して広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送し、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与することを特徴とする広告宣伝サーバ。
【請求項８】
利用者毎に利用者を識別するためのＩＤと利用者に与えられた特典の値とを保持するＩＤ記憶部を有し、利用者Ａが使用する利用者Ａ端末からネットワークを介して広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送し、利用者Ｂが使用する利用者Ｂ端末からネットワークを介して利用者ＡのＩＤを伴う広告情報の取得要求を受けると利用者Ａに対して特典を付与しＩＤ記憶部の特典値に加算することを特徴とする広告宣伝サーバ。
【請求項９】
利用者毎に利用者を識別するためのＩＤと利用者に与えられた特典の値とを保持するＩＤ記憶部を有し、利用者Ａが使用する利用者Ａ端末からネットワークを介して広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送し、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算することを特徴とする広告宣伝サーバ。
【請求項１０】
利用者Ａが使用する利用者Ａ端末からネットワークを介して広告情報の取得要求を受けると利用者Ａを識別するためのＩＤを広告情報に付加して返送し、利用者Ｂが使用する利用者Ｂ端末からネットワークを介して利用者ＡのＩＤを伴う広告情報の取得要求を受けると利用者Ａに対して特典を付与することを特徴とする広告宣伝方法。
【請求項１１】
利用者Ａが使用する利用者Ａ端末からネットワークを介して広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送し、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与することを特徴とする広告宣伝方法。
【請求項１２】
利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送し、
利用者Ｂが使用する利用者Ｂ端末からネットワークを介して利用者ＡのＩＤを伴う広告情報の取得要求を受けると利用者Ａに対して特典を付与しＩＤ記憶部の特典値に加算することを特徴とする広告宣伝方法。
【請求項１３】
利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送し、
利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算することを特徴とする広告宣伝方法。
【請求項１４】
利用者Ａが使用する利用者Ａ端末からネットワークを介して広告情報の取得要求を受けると利用者Ａを識別するためのＩＤを広告情報に付加して返送する手順と、利用者Ｂが使用する利用者Ｂ端末からネットワークを介して利用者ＡのＩＤを伴う広告情報の取得要求を受けると利用者Ａに対して特典を付与する手順とをコンピュータに実行させるプログラム。
【請求項１５】
利用者Ａが使用する利用者Ａ端末からネットワークを介して広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送する手順と、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与する手順とをコンピュータに実行させるプログラム。
【請求項１６】
利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送する手順と、
利用者Ｂが使用する利用者Ｂ端末からネットワークを介して利用者ＡのＩＤを伴う広告情報の取得要求を受けると利用者Ａに対して特典を付与しＩＤ記憶部の特典値に加算する手順とをコンピュータに実行させるプログラム。
【請求項１７】
利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送する手順と、
利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算する手順とをコンピュータに実行させるプログラム。
【発明の詳細な説明】
【０００１】
【発明の属する技術分野】
本発明は利用者によって広告を広める広告宣伝システム、広告宣伝サーバ、広告宣伝方法及びプログラムに関し、特に広告を広めることに貢献した利用者に対して報酬として特典を与え、広告宣伝の広まりを促進する技術に関する。
【０００２】
【従来の技術】
宣伝広告においてはテレビ放送による広告やインターネットを利用した広告など様々なものがあるが、利用者間で広まるいわゆる口コミ情報も大きな影響をもたらしている。例えば特開２００１−２７３２０４号公報には、電子メールに広告情報を添付して他の利用者に転送し受信した利用者が広告を見た場合に電子メール料金の割引することが示されている。
【０００３】
この公報の構成は、電子メールサーバが広告情報を保持し受信者からの要求に基づいて広告情報を提供しその見返りとして割引等の特典を与えるもので、特定の電子メールサーバに対して予め対象となる利用者を募集しておく必要がある。
【０００４】
【特許文献１】
特開２００１−２７３２０４号公報
【０００５】
【発明が解決しようとする課題】
従来の利用者間の電子メールによる広告では、電子メールサーバにてサービスを希望する利用者を募集して行うため、サービスを受けられる利用者はサービスを提供するネットワークに限られ、また広告の提供者もサービスを提供する電子メールサーバと特別な連携が必要という問題があった。特にインターネットのような広域で不特定多数の利用者に対して広告提供者が容易に広告を広めた行為に対して特典を与えるということができなかった。
【０００６】
本発明の目的は、利用者Ａがインターネットのような広域のネットワークから得た広告情報を電子メールを利用して他の利用者Ｂへ伝えた際に利用者Ａに一定の特典を与えることにより利用者によって広告を広める広告宣伝システム、広告宣伝サーバ、広告宣伝方法及びプログラム
【０００７】
【課題を解決するための手段】
本発明の第１の広告宣伝システムは、利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者Ａ端末から広告情報の取得要求を受けると利用者Ａを識別するためのＩＤを広告情報に付加して返送し、利用者Ｂ端末から利用者ＡのＩＤを伴う広告情報の取得要求を受けると利用者Ａに対して特典を付与することを特徴とする。
【０００８】
本発明の第２の広告宣伝システムは、利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者Ａ端末から広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送し、利用者Ｂ端末から利用者ＡのＩＤを組み込んだＵＲＬにて広告情報の取得要求を受けるとＵＲＬのＩＤを判別して利用者Ａを特定し利用者Ａに特典を付与することを特徴とする。
【０００９】
本発明の第３の広告宣伝システムは、利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者毎に利用者を識別するためのＩＤと利用者に与えられた特典の値とを保持するＩＤ記憶部を有し、利用者Ａ端末から広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送し、利用者Ｂ端末から利用者ＡのＩＤを伴う広告情報の取得要求を受けると利用者Ａに対して特典を付与しＩＤ記憶部の特典値に加算することを特徴とする。
【００１０】
本発明の第４の広告宣伝システムは、利用者Ａが使用する利用者Ａ端末と利用者Ｂが使用する利用者Ｂ端末と広告情報を提供する広告宣伝サーバとを有しこれらをネットワークで互いに接続する広告宣伝システムであって、
前記広告宣伝サーバは、利用者毎に利用者を識別するためのＩＤと利用者に与えられた特典の値とを保持するＩＤ記憶部を有し、利用者Ａ端末から広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送し、利用者Ｂ端末から利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算することを特徴とする。
【００１１】
本発明の第５の広告宣伝システムは、前記第１乃至第４のいずれかの広告宣伝システムにおいて、前記利用者ＡのＩＤは利用者Ａから利用者Ｂへの広告情報の紹介の電子メールに組み込まれて前記利用者Ａ端末から前記利用者Ｂ端末へ伝達されることを特徴とする。
【００１２】
本発明の第１の広告宣伝サーバは、利用者Ａが使用する利用者Ａ端末からネットワークを介して広告情報の取得要求を受けると利用者Ａを識別するためのＩＤを広告情報に付加して返送し、利用者Ｂが使用する利用者Ｂ端末からネットワークを介して利用者ＡのＩＤを伴う広告情報の取得要求を受けると利用者Ａに対して特典を付与することを特徴とする。
【００１３】
本発明の第２の広告宣伝サーバは、利用者Ａが使用する利用者Ａ端末からネットワークを介して広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送し、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与することを特徴とする。
【００１４】
本発明の第３の広告宣伝サーバは、利用者毎に利用者を識別するためのＩＤと利用者に与えられた特典の値とを保持するＩＤ記憶部を有し、利用者Ａが使用する利用者Ａ端末からネットワークを介して広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送し、利用者Ｂが使用する利用者Ｂ端末からネットワークを介して利用者ＡのＩＤを伴う広告情報の取得要求を受けると利用者Ａに対して特典を付与しＩＤ記憶部の特典値に加算することを特徴とする。
【００１５】
本発明の第４の広告宣伝サーバは、利用者毎に利用者を識別するためのＩＤと利用者に与えられた特典の値とを保持するＩＤ記憶部を有し、利用者Ａが使用する利用者Ａ端末からネットワークを介して広告情報の取得要求を受けるとＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送し、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算することを特徴とする。
【００１６】
本発明の第１の広告宣伝方法は、利用者Ａが使用する利用者Ａ端末からネットワークを介して広告情報の取得要求を受けると利用者Ａを識別するためのＩＤを広告情報に付加して返送する手順と、利用者Ｂが使用する利用者Ｂ端末からネットワークを介して利用者ＡのＩＤを伴う広告情報の取得要求を受けると利用者Ａに対して特典を付与する手順とを有する。
【００１７】
本発明の第２の広告宣伝方法は、利用者Ａが使用する利用者Ａ端末からネットワークを介して広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送する手順と、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与する手順とを有する。
【００１８】
本発明の第３の広告宣伝方法は、利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送する手順と、
利用者Ｂが使用する利用者Ｂ端末からネットワークを介して利用者ＡのＩＤを伴う広告情報の取得要求を受けると利用者Ａに対して特典を付与しＩＤ記憶部の特典値に加算する手順とを有する。
【００１９】
本発明の第４の広告宣伝方法は、利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送する手順と、
利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算する手順とを有する。
【００２０】
本発明の第１のプログラムは、利用者Ａが使用する利用者Ａ端末からネットワークを介して広告情報の取得要求を受けると利用者Ａを識別するためのＩＤを広告情報に付加して返送する手順と、利用者Ｂが使用する利用者Ｂ端末からネットワークを介して利用者ＡのＩＤを伴う広告情報の取得要求を受けると利用者Ａに対して特典を付与する手順とをコンピュータに実行させる。
【００２１】
本発明の第２のプログラムは、利用者Ａが使用する利用者Ａ端末からネットワークを介して広告情報の取得要求を受けると利用者Ａを識別するためのＩＤを要求された広告情報のインターネット上のアドレスを示すＵＲＬ（ｕｎｉｆｏｒｍ　ｒｅｓｏｕｒｃｅ　ｌｏｃａｔｏｒ）に組み込んで広告情報とともに返送する手順と、利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与する手順とをコンピュータに実行させる。
【００２２】
本発明の第３のプログラムは、利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを広告情報に付加して返送する手順と、
利用者Ｂが使用する利用者Ｂ端末からネットワークを介して利用者ＡのＩＤを伴う広告情報の取得要求を受けると利用者Ａに対して特典を付与しＩＤ記憶部の特典値に加算する手順とをコンピュータに実行させる。
【００２３】
本発明の第４のプログラムは、利用者Ａが使用する利用者Ａ端末からネットワークを介して広告情報の取得要求を受けると利用者毎に利用者を識別するためのＩＤと利用者に与えられた特典の値とを保持するＩＤ記憶部を参照して利用者ＡのＩＤを取得し、ＩＤ記憶部に利用者ＡのＩＤが登録されていなければＩＤを生成するとともにＩＤ記憶部に登録し、利用者ＡのＩＤを要求された広告情報のインターネット上のアドレスを示すＵＲＬに組み込んで広告情報とともに返送する手順と、
利用者Ｂが使用する利用者Ｂ端末からネットワークを介して利用者ＡのＩＤを組み込んだＵＲＬにて広告情報の取得要求を受けるとＵＲＬのＩＤを判別して利用者Ａを特定し利用者Ａに特典を付与しＩＤ記憶部の特典値に加算する手順とをコンピュータに実行させる。
【００２４】
【発明の実施の形態】
次に、本発明の実施の形態について図面を参照して詳細に説明する。図１は本発明の実施の形態のシステムの構成を示した図である。図１を参照すれば、本発明のシステムの構成は、利用者が使用する利用者Ａ端末１０と、利用者Ｂ端末２０と、広告や特典サービスを提供する広告宣伝サーバ３０とこれらと接続するインターネット４０とからなる。図１ではインターネット４０にて互いを接続しているがインターネット以外のネットワーク手段でもかまわない。
【００２５】
利用者Ａ端末１０と利用者Ｂ端末２０は、利用者が使用する端末であり電子メール機能を有した例えばパーソナルコンピュータや携帯電話等の情報処理機器である。説明の都合上、利用者Ａは先に広告情報を入手して利用者Ｂに電子メールで広告を伝えるものとし、利用者Ａが使用する端末を利用者Ａ端末１０とし、利用者Ｂが使用する端末を利用者Ｂ端末２０とする。
【００２６】
図１では、利用者Ａ端末１０と利用者Ｂ端末２０は、インターネット４０と直接接続しているようになっているが、実際には電話回線でインターネット接続手段と接続しインターネット接続手段を介してインターネット４０に接続する構成が一般的である。また、利用者Ａ端末１０と利用者Ｂ端末２０はそれぞれ多数インターネット４０に接続するが、図１ではそれぞれ１つずつ示しており、逆に利用者Ｂが利用者Ａに広告を提供することも可能である。
【００２７】
利用者Ａ端末１０又は利用者Ｂ端末２０は、それぞれ電子メールの送受信を行うメール処理部１２又はメール処理部２２と、インターネット４０上に開設されたウェブサイトをアクセスしアクセスしたウェブページ等の情報を図示しない表示部に表示するブラウザ部１３又はブラウザ部２３と受信した広告情報付きのメール情報等を記憶する記憶部１１又は記憶部２１を含んでいる。
【００２８】
広告宣伝サーバ３０は、インターネット４０を介して利用者Ａ端末１０や利用者Ｂ端末２０からのアクセス要求を処理するサーバ装置であり、サービス提供者或いは広告の提供サービスを代行する業者によって使用され、ＷＷＷ処理部３１と、ＩＤ処理部３２と、広告記憶部３３と、ＩＤ記憶部３４とを含む。ＷＷＷ処理部３１、ＩＤ処理部３２は広告宣伝サーバ３０上で動作するプログラムで実現される。
【００２９】
広告記憶部３３は、利用者Ａ端末１０や利用者Ｂ端末２０からのアクセス要求に対して返送するウェブページ情報を記憶し、ウェブページ情報として広告提供者から供給される広告情報や利用者からのアクセスの案内をする画面情報等を記憶する。ＷＷＷ処理部３１は利用者Ａ端末１０や利用者Ｂ端末２０からのアクセス要求を受け付けて広告記憶部３３やＩＤ処理部３２を使って要求を処理し結果を返送する。
【００３０】
ＩＤ記憶部３４は利用者を特定する情報と利用者を識別するＩＤ（識別情報）と特典サービスの累積値とを互いに関連させて利用者毎に記憶する。ＩＤ処理部３２は、ＷＷＷ処理部３１からのアクセス要求に対して新規利用者のＩＤを生成して利用者の特定情報と合わせてＩＤ記憶部３４に登録し、指定された広告情報とその広告情報のインターネット４０上のアドレスを示すＵＲＬ（ｕｎｉｆｏｒｍ　ｒｅｓｏｕｒｃｅ　ｌｏｃａｔｏｒ）にＩＤを付加したＩＤ付きＵＲＬとを合わせて返却し、ＩＤ付きのＵＲＬによるアクセスの際はそのＩＤに該当する利用者に対して予め決められた特典を付与しＩＤ記憶部３４内の累積値に加算して更新する。
【００３１】
次に、本発明の実施の形態の動作について図面を参照して説明する、図２は本発明の実施の形態の動作を示したフローチャートである。まずサービス提供者は広告情報をインターネット上に掲載可能なＨＴＭＬ（ｈｙｐｅｒｔｅｘｔ　ｍａｒｋｕｐ　ｌａｎｇｕａｇｅ）文書のような形式にして広告記憶部３３に登録し、利用者Ａ端末１０からアクセス可能なようにする（Ｓ６１）。この際、特典サービスを提供する場合はサービス提供対象であることを示す印を付けておく。
【００３２】
利用者Ａは利用者Ａ端末１０から広告宣伝サーバ３０のウェブサイトをアクセスして広告情報の一覧を閲覧し、興味を持った広告についてその詳細な広告情報をダウンロード要求する（Ｓ６２）。ダウンロード要求は例えば利用者Ａ端末１０の表示部に表示された画面にて該当する部分をクリックするような操作で実行する。この際特典サービスを希望する場合は特典サービス希望を示す情報と利用者を特定する情報を入力できるように一覧画面を設定しておけばよい。なお、利用者を特定する情報は、例えば利用者の氏名、連絡先、パスワード等のいずれか或いは全てを含む。
【００３３】
広告宣伝サーバ３０のＷＷＷ処理部３１は利用者Ａ端末１０から利用者Ａを特定する情報とともに特典サービス希望のダウンロード要求を受け付けると、ＩＤ処理部３２へアクセス要求を送る。特典サービスを希望しないダウンロード要求の場合ＷＷＷ処理部３１は指定された情報をＩＤ記憶部３４或いは図示しない他の記憶部から取り出して利用者Ａ端末１０へ返送する。
【００３４】
広告記憶部３３はＷＷＷ処理部３１からアクセス要求を受けると利用者ＡのＩＤをＩＤ記憶部３４を参照して抽出する。ＩＤ記憶部３４に登録がない場合は新たにＩＤを作成して利用者の特定情報とともにＩＤ記憶部３４へ登録する。広告記憶部３３は指定された広告情報のＵＲＬにＩＤを付加して広告情報とともにＷＷＷ処理部３１へ返却し、ＷＷＷ処理部３１はＩＤ付きのＵＲＬを含んだ広告情報を利用者Ａ端末１０へ返送する（Ｓ６３）。
【００３５】
ＩＤ付きＵＲＬとしては、例えば“ｈｔｔｐ：／／ｗｗｗ．ａｂｃ．ｃｏ．ｊｐ／ｅｆｇ？ｘｘｘｘｘ”のように通常のＵＲＬに対して“ｘｘｘｘｘ”の部分にＩＤを付加する。また、特典サービスを希望しない利用者からのダウンロード要求の際は、利用者を特定する情報は不要で、ＩＤ付きのＵＲＬを返却する処理は実行されず、単に広告情報のみを返送する。
【００３６】
利用者Ａ端末１０のブラウザ部１３は広告情報とＩＤ付きのＵＲＬ情報を受信して記憶部１１に保持し、受信した広告情報とＩＤ付きのＵＲＬを表示する（Ｓ６４）。利用者Ａは広告情報を閲覧して、その広告情報に興味を持っていそうな知人がいた場合、その広告情報を知人に紹介するために電子メールを送ることができる。利用者Ａはメール処理部１２を起動して受信したＩＤ付きのＵＲＬの情報を含んだ電子メールを知人の使用する利用者Ｂ端末２０宛に送信する（Ｓ６５）。
【００３７】
利用者Ｂは利用者Ｂ端末２０のメール処理部２２で電子メールを受信し記憶部２２に記憶し利用者Ｂの指示に基づいてメール内容を表示する（Ｓ６６）。利用者Ｂは利用者Ａから紹介のあった情報に対して興味があれば、ブラウザ部２３を起動して電子メールに含まれるＩＤ付きのＵＲＬに宛てて利用者Ａのようにダウンロード要求する（Ｓ６７）。利用者Ｂが特典サービスを希望する場合は利用者Ｂを特定する情報とともにダウンロード要求する。
【００３８】
広告宣伝サーバ３０のＷＷＷ処理部３１はダウンロード要求を受けると特典サービスの希望があるか又はダウンロード要求の広告情報を指定するＵＲＬにＩＤが付加されているかを調べ、少なくとも一方が該当する場合はアクセス要求を広告記憶部３３へ送る。どちらも該当しない場合は指定された情報を取り出して返送する。
【００３９】
この場合は利用者ＢからＩＤ付きのＵＲＬが送信されたので、ＷＷＷ処理部３１は広告記憶部３３へアクセス要求を送る。　広告記憶部３３はＵＲＬにＩＤがついているので、予め決められた基準に基づいてＵＲＬに付加された利用者Ａに対して特典を付与し、ＩＤ記憶部３４に保持されている利用者Ａの現在のポイント値に今回与えられた特典をポイントとして加算し更新する（Ｓ６８）。
【００４０】
特典は、例えば、各利用者毎にポイントとして蓄積しておき、広告宣伝サーバ３０が提供する音楽、映像、ゲーム等のコンテンツの料金をポイント数に応じて割り引いたり、ポイント数を現金化してもよい。広告宣伝サーバ３０が利用者Ａ端末１０をインターネット接続するプロバイダで運用される場合はインターネットへの接続料金を割り引くという特典としてもよい。
【００４１】
広告記憶部３３は特典サービスの希望がある場合は上記のステップＳ６３で示した利用者Ａの場合と同様にＩＤをＵＲＬに組み込んで広告情報とともにＷＷＷ処理部３１を介して利用者Ｂ端末２０へ返送し、特典サービスの希望がない場合は広告情報のみをＷＷＷ処理部３１を介して利用者Ｂ端末２０へ返送する（Ｓ６９）。利用者Ｂ端末２０のブラウザ部２３は返送された広告情報とＩＤ付きのＵＲＬを受けて広告情報を表示する（Ｓ７０）。
【００４２】
利用者Ｂも受信した広告情報に興味を持っていそうな知人がいれば利用者ＢのＩＤ付きのＵＲＬを電子メールで知人へ送り、その知人がＵＲＬをアクセスすることにより利用者Ａと同様の特典を受けることができる。また、利用者Ｂが受信した広告情報に基づいて商品やサービスを購入した場合には、利用者Ａに対してさらにポイントを加算するようにしてもよい。その際は図示しないが購入を処理するプログラムが購入した商品やサービスの特典の基準に基づいて利用者Ａに対してポイントを付与しＩＤ記憶部３４内の累積値に加算して更新すればよい。
【００４３】
このように、利用者は自分が入手した広告情報を興味を持つと思われる知人に紹介することにより特典が得られるので、広告を提供する側は広告情報を人的関係を通してより効率的に広めることができる。また、広告情報を提供するサーバに特典を与えるための手段を備えているので特定の電子メールサーバに制限されることなく多くの利用者に特典サービスを提供することができる。
【００４４】
また、以上の説明では、ＵＲＬに利用者を識別するＩＤを付与し、紹介された利用者がＵＲＬとともにＩＤを引き継ぐ方法を例に説明したが、ステップＳ６３で広告宣伝サーバ３０はＩＤのみを広告情報に添付して利用者Ａ端末１０へ返送し、利用者Ａが知人の利用者Ｂにその広告の紹介の電子メールを送る際にメールにＩＤを組み込むようにし、利用者Ｂがダウンロード要求の際に紹介されたＩＤを添付するような方法としてもかまわない。
【００４５】
【発明の効果】
広告情報を提供するサーバに特典を与えるための手段を備えているので特定の電子メールサーバに制限されることなく多くの利用者に特典サービスを提供することができるという効果がある。
【図面の簡単な説明】
【図１】本発明の実施の形態の構成を示す図である。
【図２】本発明の実施の形態の動作を示すフローチャートである。
【符号の説明】
１０　　利用者Ａ端末
１１　　記憶部
１２　　メール処理部
１３　　ブラウザ部
２０　　利用者Ｂ端末
２１　　記憶部
２２　　メール処理部
２３　　ブラウザ部
３０　　広告宣伝サーバ
３１　　ＷＷＷ処理部
３２　　ＩＤ処理部
３３　　広告記憶部
３４　　ＩＤ記憶部
【図１】
2004110506.tif 000003
【図２】
2004110506.tif 000004